(57)【要約】【課題】木材の繊維方向や発砲材等引き抜きに対する弱強度材又は弱強度方向材への引き抜き強度の向上したインサ−ト及びアンカ−の構造部品及び方法。【解決手段】本発明では上述課題を解決するために次のような構成とした。即ち請求項１に記載した発明に係る構造はナット状分割スリット入り反り返り部品３材種等による必要個数の筒状分割スリット入り反り返り部品４テ−パ−付き筒状部品５押さえ筒状部品８引き抜き力用ボルトナット６、７等からなり各部品の形状、寸法、スリットの割付や形状は材種や大きさ、試験、実験、強度計算等により変化する、材種は金属、非鉄金属、樹脂、合成樹脂製等であり母材の強度、施工性、耐久性などによる材種を選択使用する、母材に開設された下穴にインサ−ト部品を挿入後引き抜き方向力により引き抜き方向に対し反り返り食い込み係止し引き抜き強度の向上したインサ−トの構造。【選択図】        図１
2004332865.tif 000002
【特許請求の範囲】
【請求項１】
引き抜き弱強度材又は弱強度方向材を母材とし該母材に開設された下穴にインサ−ト部品を挿入後、引き抜き方向に引き抜き方向力による反り返り食い込み係止し、引き抜き強度の向上した金属、非鉄金属、樹脂、合成樹脂製等で母材の強度、施工性、耐久性などにより材種を選択使用するインサ−トの構造部品。
【請求項２】
請求項１によるインサ−ト部品に対し、引き抜き方向への引き寄せ圧縮力によるボルト又はナット等の回転以外、引き抜き圧縮力を加えられる部品や工具等により引き抜き圧縮力を加えて引き抜き方向に対し、反り返り食い込み係止し、引き抜き強度の向上したインサ−トの構造方法。
【請求項３】
請求項１インサ−ト部品に対して自削ネジの回転により引き寄せ圧縮力を加えて引き抜き方向に対し反り返り食い込み係止し、引き抜き強度の向上したインサ−トの構造方法。
【請求項４】
請求項１によるインサ−ト部品をボルト付とすることによりアンカ−部品となり、ナットの回転又は請求項２による方法により圧縮力を加えて引き抜き方向に対し反り返り食い込み係止し、引き抜き強度の向上したアンカ−の構造方法。
【請求項５】
ナット状と筒状間分割スリット入反り返りインサ−ト部品、ナットの回転又は請求項２による方法により圧縮力を加えて引き抜き方向に対し反り返り食い込み係止部と折れ曲がり部、筒状部と一体である引き抜き強度の向上したインサ−トの構造で請求項３、請求項４の方法にも応用する構造部品。
【発明の詳細な説明】
【０００１】
【発明が属する技術分野】
本発明は、木材の繊維方向や発砲材等引き抜き弱強度材又は弱強度方向材を母材とし該母材へのボルト、ナットなどによる取り付け材との接合方法であり必要引き抜き強度が確保でき、施工が簡単で組み解体の繰り返しができること、在庫積み置き運搬等の単純さ、メンテナンス、リサイクル性の向上、使用材の用途拡大などを合わせ持つ新規な接合用インサ−ト及びアンカ−の部材と方法に関するものである。
【０００２】
【従来の技術】
木材の繊維方向や発砲材等引き抜きに対する弱強度材又は弱強度方向材への取り付け材接合方法としては接着剤併用の金物で管理の面で大変なもの、異常に長いものの埋設によるもの、また口径の大なるものを用い材断面を損なうような形状であった。
【０００３】
従来、木材の繊維方向材などの引き抜き強度の弱いものに対する取付け方法としては各種文献では見当たらないが堅固な母材で堅固な部品の特許文献として（特公平７−２３７２５）アンカ−ナット及びアンカ−ボルト並びにそれらの取り付け方法の（産業上の利用分野）例えばシ−トパイル、型鋼あるいは鋼管等の鋼材の片側から−の記述や（課題を解決する手段）（実施例）などから引き抜き強度の弱いものに対する取付け方法としては効果がないうえ母材を破壊してしまうと考えられます。（特許文献１参照。）
【０００４】
またインサ−トの外面に突起又はねじ状であり、あるいはスリット分を広げる事などにより取付け部挿入穴の周壁に食い込ませるものなどがある。（特許文献２参照。）
【０００５】
木材の繊維方向への取り付け方法としてはではほぞや仕口加工として施工されており、加工など複雑で金物も羽子板ボルトやＬ型、Ｔ型など多種使用されている。
【０００６】
【特許文献１】
特公平７−２３７２５号公報
【特許文献２】
特開２００１−３０４２２９号公報
【０００７】
【発明が解決しようとする課題】
解決しようとする問題点は、接着剤併用などでは施工時に養生期間や温湿度の管理が必要であり接着剤の注入に技術を要する、また従来の技術である特許文献（特公平７−２３７２５）のネジ山ができボルトと部材の強度が確保できても部材そのものが母材の引き抜き力に対しては有効ではない。
【０００８】
また、インサ−ト部に突起又はねじ状あるいはスリット分を広げ、取付け部挿入穴の周壁に食い込ませる方法では、引き抜き力に対し最良でも限られた部の延長のみの耐力。
【０００９】
さらに、従来の技術では取り付け材接合方法として組み解体の繰り返し、在庫積み置き運搬等の単純さ、メンテナンス、リサイクル性の面などで欠けるものであった。
【００１０】
【課題を解決するための手段】
本発明では上述課題を解決するために次のような構成とした。即ち請求項１に記載した発明に係る構造は、ナット状分割スリット入り反り返り部品３、材種等による必要個数の筒状分割スリット入り反り返り部品４、テ−パ−付き筒状部品５、押さえ筒状部品８、引き抜き力用ボルト、ナット、６、７等からなり各部品の形状、寸法、スリットの割付や形状は材種や大きさ、試験、実験、強度計算等により変化する、材種は金属、非鉄金属、樹脂、合成樹脂製等であり母材の強度、施工性、耐久性などによる材種を選択使用する、母材に開設された下穴にインサ−ト部品を挿入後引き抜き方向力により引き抜き方向に対し反り返り食い込み係止し、引き抜き強度の向上したインサ−トの構造部品により課題を解決できる。
【００１１】
請求項２に記載した発明に係る構造によるインサ−ト部品に対し、引き抜き方向への引き寄せ圧縮力であり、ボルト、ナット等の回転による以外、工具や電動工具等により圧縮力を加えて引き抜き方向に対し反り返り食い込み係止し、引き抜き強度の向上したインサ−トの構造方法により課題を解決できる。
【００１２】
【発明の実施の形態】
母材として木材の繊維方向を使用し開設された下穴にアルミ製インサ−ト部品又はアンカ−部品を挿入、圧縮力をボルトナット等の回転及びビスの自削引き寄せ圧縮力などによる。
【００１３】
【実施例】
【００１４】
図１、図２は、即ち請求項１に記載した発明に係る構造として引き抜きに対する弱強度材又は弱強度方向材の母材を木材の繊維方向材とし、該母材に開設された下穴にインサ−ト部品を挿入、そのインサ−ト部品の構成は、ナット状分割スリット入り反り返り部品３、材種等による必要個数の筒状分割スリット入り反り返り部品４、テ−パ−付き筒状部品５、押さえ筒状部品８、引き抜き力用ボルトナット６、７等からなり各部品の形状、寸法、スリットの割付や形状は材種や大きさ、試験、実験、強度計算等により変化する、材種は金属、非鉄金属、樹脂、合成樹脂製等であり母材の強度、施工性、耐久性などによる材種を選択使用する、挿入後６のボルトを固定状態とし７のナットを締めこみ方向に回転させ引き抜き方向力を加える、引き抜き方向に対しナット状分割スリット入り反り返り部品３と筒状分割スリット入り反り返り部品４のスリット付け基より反り返り母材下穴内部に食い込み係止し引き抜き強度の向上したインサ−トの構造を図１−Ａ、Ｂ  図２−Ｃ、Ｄの順により母材への取付け材取付け例までの実施例である。
【００１５】
図３は、請求項３に記載した発明に係る構造として上記６のボルトをナット状分割スリット入り反り返り部品３固定状態とし、７、のナットを締めこみ方向に回転させ引き抜き方向力を加える方法を自削ネジ用分割スリット入り反り返り部品３Ａに対し６Ａの自削ネジの回転による引き抜き方向力を加える方法とした構造を図３−Ａ、Ｂの順により母材への取付け材取付け例までの実施例である。
【００１６】
図４、図５は、請求項４に記載した発明に係る構造としてインサ−ト部品３Ｂを６Ｂのボルト付とすることにより７のナットを締めこみ方向に回転させ引き抜き方向力を加える方法により引き抜き強度の向上したアンカ−の構造を図４−Ａ、  Ｂ  図５−Ｃ、Ｄの順により母材への取付け材取付け例までの実施例である。
【００１７】
図６は、請求項５に記載した発明に係る構造としてインサ−ト部品の姿と平面で図６−Ａは抜き方向力を加える前、図６−Ｂは抜き方向力を加えて変化した状態の例である。
【００１８】
【発明の効果】
以上説明したように本発明によるインサ−ト及びアンカ−は筒状分割スリット入り反り返り部品の数の調整や、テ−パ−付き筒状部品の長さの調整、材種などにより小さなものから大なるものまでの用途に適応する構造である。
【００１９】
また、必要引き抜き強度が確保でき、施工が簡単で組み解体の繰り返しができ在庫積み置き運搬等の単純さ、メンテナンス、リサイクル性の向上、使用材の用途拡大などを合わせ持つ新規な接合用インサ−ト及びアンカ−を提供することができる。
【図面の簡単な説明】
【図１】引き抜きに対する弱強度材又は弱強度方向材を母材とし該母材に開設された下穴にインサ−ト部品を挿入後、引き抜き方向に引き抜き方向力により反り返り食い込み係止し引き抜き強度の向上した金属、非鉄金属、樹脂、合成樹脂製等で母材の強度、施工性、耐久性などにより材種を選択使用するインサ−トの構造部品の実施方法を示した説明図であり図１−Ａは母材にインサ−ト部品を挿入状態及び部分拡大図、図１−Ｂはナットの回転によるナットを締めこみ方向に回転させ引き抜き方向力を加える、引き抜き方向に対しナット状分割スリット入り反り返り部品３と筒状分割スリット入り反り返り部品４のスリット付け基より、反り返り母材下穴内部に食い込み係止状態及び部分拡大図。（実施例１）
【図２】図２−Ｃは役の終った部品を取り除いた状態、図２−Ｄはボルトにより取付け部材を固定した状態としたインサ−トの構造方法の実施方法を示した説明図である。（実施例１）
【図３】自削ネジの回転により引き寄せ圧縮力を加えて引き抜き方向に対し反り返り食い込み係止し引き抜き強度の向上したインサ−トの構造方法の実施方法を示した説明図であり、図３−Ａは母材にインサ−ト部品を挿入し取付け部材と自削ネジをセットした状態及び部分拡大図、図３−Ｂは自削ネジを締めこみ方向に回転させ引き抜き方向力を加える、引き抜き方向に対しナット状分割スリット入り反り返り部品３と筒状分割スリット入り反り返り部品４のスリット付け基より、反り返り母材下穴内部に食い込み係止取付け部材共に固定状態及び部分拡大図。（実施例２）
【図４】インサ−ト部品をボルト付とすることによりアンカ−部品とした構造部品の実施方法を示した説明図であり図４−Ａは母材にアンカ−部品を挿入状態及び部分拡大図、図４−Ｂはナットの回転によるナットを締めこみ方向に回転させ引き抜き方向力を加える、引き抜き方向に対しナット状分割スリット入り反り返り部品３と筒状分割スリット入り反り返り部品４のスリット付け基より、反り返り母材下穴内部に食い込み係止状態及び部分拡大図。（実施例３）
【図５】図５−Ｃは役の終った部品を取り除いた状態、図５−Ｄはナットにより取付け部材を固定した状態としたアンカ−の構造方法の実施方法を示した説明図である。（実施例３）
【図６】請求項５に記載した発明に係る構造としてインサ−ト部品の姿と平面で図６−Ａは抜き方向力を加える前、図６−Ｂは抜き方向力を加えて変化した状態の２例である。（例４）
【符号の説明】
１    引き抜きに対する弱強度材又は弱強度方向材である母材
２    取付け材
３    ナット状分割スリット入り反り返りインサ−ト部品
３Ａ  自削ビス対応分割スリット入り反り返りインサ−ト部品
３Ｂ  ボルト一体用分割スリット入り反り返りインサ−ト部品
４    筒状分割スリット入り反り返りインサ−ト部品
５    テ−パ−付き筒状インサ−ト部品
６    ボルト
６Ａ  自削ビス
６Ｂ  分割スリット入り反り返りインサ−ト部品ボルト一体用ボルト
７    締めつけナット
８    筒状インサ−ト部品及びアンカ−部品仮押さえ部品
９    ナット状と筒状間分割スリット入反り返りインサ−ト部品
【図１】
2004332865.tif 000003
【図２】
2004332865.tif 000004
【図３】
2004332865.tif 000005
【図４】
2004332865.tif 000006
【図５】
2004332865.tif 000007
【図６】
2004332865.tif 000008